(57)【特許請求の範囲】
【請求項１】
丸編で編み立てられる筒状編地からなり、着用者の体表に密着して手関節を補助する手関節サポーターにおいて、
前記筒状編地の一端を周回して編成され、前記着用者の前腕に当該筒状編地を締着させる第１のアンカー部と、
前記筒状編地の他端を周回して編成され、前記着用者の中手指節関節近傍の第２中手骨、第３中手骨、第４中手骨及び第５中手骨に対応する部分を周回し、前記着用者の手の平及び甲に当該筒状編地を締着させる第２のアンカー部と、
前記筒状編地における前記第２のアンカー部近傍に略円形形状の貫通孔にて形成され、前記着用者の手の第１指を挿通するホールアンカー部と、
前記筒状編地の正面及び／又は背面側に前記着用者の手根中手関節に対応する部分を跨って当該筒状編地の長さ方向に延在させて編成され、前記第１のアンカー部及びホールアンカー部に連結して、着用者の手関節を支持する支持部と、
前記着用者の手関節に対応する部分を前記支持部と共に周回して編成され、当該支持部と共に前記着用者の手関節を支持するベース生地部と、
前記筒状編地における、前記第２のアンカー部、ホールアンカー部、支持部及びベース生地部に包囲された編地であり、前記第２のアンカー部及び支持部間に柔軟性を持たせた緩衝部と、
を備え、
前記筒状編地の長さ方向における前記緩衝部の伸縮抵抗が、前記筒状編地の長さ方向における前記第１のアンカー部、第２のアンカー部、支持部及びベース生地部の各伸縮抵抗より小さく、
前記筒状編地の周方向における前記緩衝部の伸縮抵抗が、前記筒状編地の周方向における前記第１のアンカー部、第２のアンカー部、支持部及びベース生地部の各伸縮抵抗より小さいことを特徴とする手関節サポーター。
【請求項２】
前記請求項１に記載の手関節サポーターにおいて、
前記筒状編地の周方向における前記第１のアンカー部の伸縮抵抗が、前記筒状編地の周方向における前記ベース生地部の伸縮抵抗より大きく、
前記筒状編地の長さ方向における前記支持部の伸縮抵抗が、前記筒状編地の長さ方向における前記ベース生地部の伸縮抵抗より大きいことを特徴とする手関節サポーター。
【請求項３】
前記請求項１又は２に記載の手関節サポーターにおいて、
前記筒状編地の長さ方向における前記ベース生地部の伸縮抵抗が、前記筒状編地の長さ方向における前記第１のアンカー部の伸縮抵抗より大きく、
前記筒状編地の長さ方向における前記第１のアンカー部の伸縮抵抗が、前記筒状編地の長さ方向における前記第２のアンカー部の伸縮抵抗より大きいことを特徴とする手関節サポーター。
【請求項４】
前記請求項１乃至３のいずれかに記載の手関節サポーターにおいて、
前記筒状編地の周方向における前記ベース生地部及び支持部の伸縮抵抗が、前記筒状編地の周方向における前記第２のアンカー部の伸縮抵抗より大きいことを特徴とする手関節サポーター。
【請求項５】
前記請求項１乃至４のいずれかに記載の手関節サポーターにおいて、
前記筒状編地の第２のアンカー部から連続して丸編で編み立てられる第２の筒状編地からなり、前記着用者の第２指及び第３指間の指股、第３指及び第４指間の指股、並びに／又は、第４指及び第５指間の指股における前記着用者の手の平及び甲間を連結して、着用者の指股に掛止するアンカー補強部を備えることを特徴とする手関節サポーター。
【発明の詳細な説明】
【技術分野】
【０００１】
この発明は、着用者の日常動作を支援することのできる手関節サポーターに関し、特に、手関節の安定性を向上して、手関節への負担を減少すると共に、手の腱鞘炎を防止するテーピング機能を具備する手関節サポーターに関するものである。
【背景技術】
【０００２】
従来の手首拘束用サポーターは、略筒状に形成されて周方向及び長手方向のうち少なくとも周方向に伸縮可能であって前腕部の手首近傍から少なくとも第２指から第５指の付け根付近まで覆い得るサポーター本体と、サポーター本体に形成された第１指用開口部と、ポケットに挿入したサポーター本体の第５指側に長手方向に沿って延在する支持体と、を有し、該支持体は、少なくとも装着される前腕部の手首近傍から豆状骨部位を亘って掌の第５指側の側部にまで延在し得るように設けられている（例えば、特許文献１参照）。
【先行技術文献】
【特許文献】
【０００３】
【特許文献１】特開２００５−５４９号公報
【発明の概要】
【発明が解決しようとする課題】
【０００４】
従来の手首拘束用サポーターは、手首に打撲、捻挫、腱鞘炎を発症した場合の保存療法として、手首の動きを拘束するためのサポーターであり、第１指、手の甲及び掌側に支持体を備えない。特に、従来の手首拘束用サポーターは、支持体が、外力又は荷重が付加されたときに撓むものも含まれるが、その撓みによって固定感が失われない程度のものとされ、例えば、合成樹脂、金属、炭素繊維、グラスファイバー、木材等で形成されている。【０００５】
このため、従来の手首拘束用サポーターは、略筒状のサポーター本体を形成した後に、支持体をサポーター本体に、縫い付け、或いは鋲留め、貼着、粘着等により付設する工程が必要であり、製造工程が複雑であるという課題がある。【０００６】
この発明は、上述のような課題を解決するためになされたもので、サポーター本体と別体である支持体をサポーター本体に配設する製造工程が不要であると共に、手関節への負担を減少して、手の腱鞘炎を防止することができる手関節サポーターを提供することを目的とする。
【課題を解決するための手段】
【０００７】
この発明に係る手関節サポーターにおいては、筒状編地の一端を周回して編成され、着用者の前腕に当該筒状編地を締着させる第１のアンカー部と、筒状編地の他端を周回して編成され、着用者の中手指節関節近傍の第２中手骨、第３中手骨、第４中手骨及び第５中手骨に対応する部分を周回し、着用者の手の平及び甲に当該筒状編地を締着させる第２のアンカー部と、筒状編地における第２のアンカー部近傍に略円形形状の貫通孔にて形成され、着用者の手の第１指を挿通するホールアンカー部と、筒状編地の正面及び／又は背面側に着用者の手根中手関節に対応する部分を跨って当該筒状編地の長さ方向に延在させて編成され、第１のアンカー部及びホールアンカー部に連結して、着用者の手関節を支持する支持部と、着用者の手関節に対応する部分を支持部と共に周回して編成され、当該支持部と共に着用者の手関節を支持するベース生地部と、筒状編地における、第２のアンカー部、ホールアンカー部、支持部及びベース生地部に包囲された編地であり、第２のアンカー部及び支持部間に柔軟性を持たせた緩衝部と、を備え、筒状編地の長さ方向における緩衝部の伸縮抵抗が、筒状編地の長さ方向における第１のアンカー部、第２のアンカー部、支持部及びベース生地部の各伸縮抵抗より小さく、筒状編地の周方向における緩衝部の伸縮抵抗が、筒状編地の周方向における第１のアンカー部、第２のアンカー部、支持部及びベース生地部の各伸縮抵抗より小さいものである。
【発明の効果】
【０００８】
この発明に係る手関節サポーターにおいては、手関節の掌屈及び／又は背屈の制動を行なうことで、着用者の手関節を安定させ、手関節に位置する腱に掛かる負荷を軽減して、手の腱鞘炎を防止することができる。
【図面の簡単な説明】
【０００９】
【図１】（ａ）は第１の実施形態に係る手関節サポーターの概略構成を示す正面図であり、（ｂ）は図１（ａ）に示す手関節サポーターの背面図であり、（ｃ）は図１（ａ）に示す手関節サポーターの左側面図であり、（ｄ）は図１（ａ）に示す手関節サポーターの右側面図であり、（ｅ）は図１（ａ）に示す手関節サポーターの平面図及び底面図である。
【図２】図１に示す手関節サポーターの着用状態を示す斜視図である。
【図３】（ａ）は手の関節及び骨を説明するための説明図であり、（ｂ）は着用者の手に対する支持部の位置を説明するための説明図であり、（ｃ）は着用者の手に対する支持部の他の位置を説明するための説明図であり、（ｄ）は着用者の手に対する支持部のさらに他の位置を説明するための説明図である。
【図４】図１（ａ）に示す手関節サポーターにおける伸長率の測定部位を説明するための説明図である。
【図５】（ａ）は実験動作を説明するための説明図であり、（ｂ）は図１に示す手関節サポーターにおける尺側手根屈筋の表面筋電図による検証結果を示すグラフであり、（ｃ）は図１に示す手関節サポーターにおける橈側手根屈筋の表面筋電図による検証結果を示すグラフであり、（ｄ）は図１に示す手関節サポーターにおける上腕二頭筋の表面筋電図による検証結果を示すグラフである。
【図６】（ａ）は図１に示す手関節サポーターの作用効果を検証するための各被験者に対する手関節掌屈モーメントの仕事量の測定結果を示すグラフであり、（ｂ）は図６（ａ）に示す測定結果の平均値を示すグラフである。
【図７】（ａ）は図１に示す手関節サポーターの作用効果を検証するための各被験者に対する手関節背屈モーメントの仕事量の測定結果を示すグラフであり、（ｂ）は図７（ａ）に示す測定結果の平均値を示すグラフである。
【図８】（ａ）は第２の実施形態に係る手関節サポーターの概略構成を示す正面図であり、（ｂ）は図８（ａ）に示す手関節サポーターの背面図であり、（ｃ）は図８（ａ）に示す手関節サポーターの左側面図であり、（ｄ）は図８（ａ）に示す手関節サポーターの右側面図であり、（ｅ）は図８（ａ）に示す手関節サポーターの平面図及び底面図である。
【図９】（ａ）は第２の実施形態に係る他の手関節サポーターの概略構成を示す正面図であり、（ｂ）は図９（ａ）に示す手関節サポーターの背面図であり、（ｃ）は図９（ａ）に示す手関節サポーターの左側面図であり、（ｄ）は図９（ａ）に示す手関節サポーターの右側面図であり、（ｅ）は図９（ａ）に示す手関節サポーターの平面図及び底面図である。
【図１０】（ａ）は図８に示す手関節サポーターの着用状態を示す斜視図であり、（ｂ）は図９に示す手関節サポーターの着用状態を示す斜視図である。
【発明を実施するための形態】
【００１０】
（本発明の第１の実施形態）
図１及び図２において、手関節サポーター１０は、靴下編機（例えば、ロナティ社製の編み機種（針数：２５６本））により丸編で編み立てられる筒状編地からなり、着用者の体表に密着して着用者の手関節を補助するサポーターである。
【００１１】
手関節サポーター１０は、表糸、裏糸及びゴム糸を編糸とし、平編、リブ編、タック編、浮き編又はパイル編などで編成されてなる編地であるベース生地部１に対して、異なる編み立てを施すことで、テーピング機能などの所望の機能性を具備する。なお、本実施形態に係るベース生地部１は、タック編により編成してなる編地（以下、タック編地と称す）である。
【００１２】
ここで、タック編地とは、生地を編成するときに、一時ある編み目を作らないで、次のコースを編むときに一緒に編み目を作る編地である。なお、本実施形態においては、度目とのバランスを考慮して、タックする回数を２回としているが、この回数に限られるものではない。
【００１３】
手関節サポーター１０は、筒状編地の一端（上端１０ａ）を周回して編成され、着用者の前腕に手関節サポーター１０を締着させる第１のアンカー部２を備える。
【００１４】
この第１のアンカー部２は、手関節サポーター１０（筒状編地）の周方向Ｈにおける伸縮抵抗が、手関節サポーター１０の周方向Ｈにおけるベース生地部１の伸縮抵抗より大きく編成されている。すなわち、素材に伸長を与えない状態から一定の伸長を与えた場合の張力をＦとして、手関節サポーター１０の周方向Ｈにおけるベース生地部１の張力をＦH1とし、手関節サポーター１０の周方向Ｈにおける第１のアンカー部２の張力をＦH2とした場合に、第１のアンカー部２がベース生地部１と比較して、手関節サポーター１０の周方向Ｈに強い締付力を持つような、ＦH2＞ＦH1という大小関係を有する。
【００１５】
具体的には、第１のアンカー部２を、鹿の子編で編成された編地（以下、鹿の子編地と称す）にすることにより、タック編地のベース生地部１に対して、手関節サポーター１０の周方向Ｈにおける伸縮抵抗を大きくすることができる。
【００１６】
なお、鹿の子編地とは、コース方向及びウェール方向に、平編とタック（あるコースで編み目を脱出させずに、その後のコースで複数ループを脱出させる組織）とが交互に、又は数コースごとに表れる編地である。このため、第１のアンカー部２には、平編とタックとを併用することで、編地の表面に隆起や透かし目を作ることができ、鹿の子のような網目柄が表れる。
【００１７】
このように、第１のアンカー部２は、着用者の前腕を周回して編成され、手関節サポーター１０の周方向Ｈにおける伸縮抵抗が、手関節サポーター１０の周方向Ｈにおけるベース生地部１の伸縮抵抗より大きいことにより、着用者の前腕に手関節サポーター１０を固定し、手関節の掌屈時における手関節サポーター１０の上端１０ａのずり下がりを抑制することができる。また、第１のアンカー部２は、後述する支持部４が連結され、この支持部４のアンカーとしても機能する。
【００１８】
また、手関節サポーター１０は、筒状編地の他端（下端１０ｂ）を周回して編成され、図３（ａ）に示すように、着用者の中手指節関節１１０近傍の第２中手骨１０２、第３中手骨１０３、第４中手骨１０４及び第５中手骨１０５に対応する部分を周回し、着用者の手の平及び甲に手関節サポーター１０を締着させる第２のアンカー部３を備える。
【００１９】
この第２のアンカー部３は、手関節サポーター１０の周方向Ｈにおける伸縮抵抗が、手関節サポーター１０の周方向Ｈにおける後述する緩衝部５の伸縮抵抗より大きく編成されている。すなわち、手関節サポーター１０の周方向Ｈにおける第２のアンカー部３の張力をＦH3とし、手関節サポーター１０の周方向Ｈにおける緩衝部５の張力をＦH5とした場合に、第２のアンカー部３が緩衝部５と比較して、手関節サポーター１０の周方向Ｈに強い締付力を持つような、ＦH3＞ＦH5という大小関係を有する。
【００２０】
具体的には、第２のアンカー部３を、鹿の子編地にすることにより、後述するメッシュ編地の緩衝部５に対して、手関節サポーター１０の周方向Ｈにおける伸縮抵抗を大きくすることができる。
【００２１】
このように、第２のアンカー部３は、着用者の手の平及び甲を周回して編成され、手関節サポーター１０の周方向Ｈにおける伸縮抵抗が、手関節サポーター１０の周方向Ｈにおける緩衝部５の伸縮抵抗より大きいことにより、着用者の手の平及び甲に手関節サポーター１０を固定し、手関節の掌屈時における手関節サポーター１０の下端１０ｂのずり上がりを抑制することができる。
【００２２】
なお、第２のアンカー部３による着用者の手の平及び甲に対する締付力を強くしすぎると、着用者の手の指（第２指（示指、ひとさし指）、第３指（中指）、第４指（薬指）、第５指（小指））の間を十分に開くことができず、パソコンのキーボード操作等の作業に支障を来すことになる。
【００２３】
このため、本実施形態に係る手関節サポーター１０は、第２のアンカー部３の度目を調整（例えば、第１のアンカー部２に対して締付力を１０％程度小さく）することで、手関節サポーター１０を着用した手の指の動きを妨げないようにしている。すなわち、本実施形態に係る手関節サポーター１０は、手関節サポーター１０の周方向Ｈに適度な締付力を持つように、ＦH2＞ＦH1＞ＦH3＞ＦH5という大小関係を有することが好ましい。
【００２４】
ホールアンカー部１１は、手関節サポーター１０における第２のアンカー部３近傍に略円形形状の貫通孔にて形成され、着用者の手の第１指（母指、親指）を挿通する。
【００２５】
なお、本実施形態に係るホールアンカー部１１は、手関節サポーター１０となる筒状編地に切れ目を入れて裁断縁を筒状編地の内側に折り返してミシンにより縫製されているが、筒状編地を裁断することなく編み立てにより編成してもよい。特に、ホールアンカー部１１を構成する縫製部分は、伸縮性の高い縫糸を用い、ミシンの運針数を増やして、柔軟な蛇腹にし、着用者の第１指に与える押圧力を緩和させることが好ましい。
【００２６】
このホールアンカー部１１は、着用者の手の第１指を挿通することにより、着用者の手関節に対して手関節サポーター１０を位置決めすると共に、手関節サポーター１０の周方向Ｈの回転移動や長さ方向Ｌの平行移動を抑制して位置ずれを防止することができる。また、ホールアンカー部１１は、後述する支持部４が連結され、この支持部４のアンカーとしても機能する。
【００２７】
支持部４は、手関節サポーター１０の正面及び／又は背面側に着用者の手根中手関節１２０に対応する部分を跨って手関節サポーター１０の長さ方向Ｌに延在させて編成され、第１のアンカー部２及びホールアンカー部１１に連結して、着用者の手関節を支持する。すなわち、支持部４は、着用者の前腕側における第１のアンカー部２で係止されており、着用者の手側におけるホールアンカー部１１で係止されている。
【００２８】
なお、本実施形態に係る支持部４は、略矩形形状に編成されているが、着用者の手根中手関節１２０に対応する部分を跨って手関節サポーター１０の長さ方向Ｌに延在するのであれば、この形状に限られるものではない。
【００２９】
また、支持部４は、手関節サポーター１０の長さ方向Ｌにおける伸縮抵抗が、手関節サポーター１０の長さ方向Ｌにおけるベース生地部１の伸縮抵抗より大きく編成されている。すなわち、手関節サポーター１０の長さ方向Ｌにおけるベース生地部１の張力をＦL1とし、手関節サポーター１０の長さ方向Ｌにおける支持部４の張力をＦL4とした場合に、支持部４がベース生地部１と比較して、手関節サポーター１０の長さ方向Ｌに強い締付力を持つような、ＦL4＞ＦL1という大小関係を有する。
【００３０】
具体的には、支持部４を、タック編と添え糸編とを併用した編地（以下、タック編・添え糸編地と称す）にすることにより、タック編地のベース生地部１に対して、手関節サポーター１０の長さ方向Ｌにおける伸縮抵抗を大きくすることができる。
【００３１】
なお、タック編・添え糸編地では、タック編の地編糸の他に他の編糸（例えば、ウーリーナイロン糸）を添えて給糸することで、手関節サポーター１０の長さ方向Ｌにおける支持部４の伸縮を適度に抑えており、支持部４とベース生地部１との境界において他の編糸をカットしている（カットボス）。
【００３２】
このように、支持部４は、手関節サポーター１０の正面及び／又は背面側に着用者の手根中手関節１２０に対応する部分を跨って手関節サポーター１０の長さ方向Ｌに延在させて編成され、手関節サポーター１０の長さ方向Ｌにおける伸縮抵抗が、手関節サポーター１０の長さ方向Ｌにおけるベース生地部１の伸縮抵抗より大きい。これにより、支持部４は、着用者の手関節の掌屈及び／又は背屈を制限し、手関節の安定性を確保することができると共に、手関節に位置する腱に掛かる負荷を軽減することができる。
【００３３】
特に、手関節サポーター１０を着用していない場合には、手関節に疼痛があると、手関節への過負荷を代償する肘関節などにも負担が掛かり、二次的な疼痛を誘発する恐れがある。このため、手指や手関節を使用する頻度が高く、肘や肩関節前面に疼痛がある人は、手関節サポーター１０の着用により、手関節の疼痛から連鎖的に生じる肘及び肩関節の疼痛を軽減することができる。
【００３４】
なお、支持部４は、手関節サポーター１０の正面（手の平）側に配設されることにより、着用者の手関節の背屈を制限し、手関節サポーター１０の背面（手の甲）側に配設されることにより、着用者の手関節の掌屈を制限する。このため、着用者の手関節の痛みに応じて、手関節の背屈を制限したい場合には、正面（手の平）側のみに支持部４を配設した手関節サポーター１０であってもよいし、手関節の掌屈を制限したい場合には、背面（手の甲）側のみに支持部４を配設した手関節サポーター１０であってもよい。
【００３５】
特に、手関節サポーター１０の正面及び背面側に支持部４を配設することは、手関節サポーター１０の正面及び背面が対称となり、左手用及び右手用のサポーターとして兼用することができるので好ましい。
【００３６】
また、筒状編地の正面及び背面側にある支持部４間に編成されベース生地部１と共に支持部４を、図３（ｃ）に示すように、橈骨手根関節１３０近傍（第１のアンカー部２）から手根中手関節１２０近傍までしか延在させない場合には、手首のホールド感が得られず、前述した支持部４による作用効果を奏しない。
【００３７】
これに対し、支持部４及びベース生地部１を、図３（ｄ）に示すように、橈骨手根関節１３０近傍（第１のアンカー部２）から中手指節関節１１０近傍（第２のアンカー部３）まで延在させた場合には、着用者の手の指間を十分に開くことができないうえに、着用者の手の平及び甲が締付けられ、痛みを伴うことになる。
【００３８】
したがって、支持部４及びベース生地部１は、図３（ｂ）に示すように、橈骨手根関節１３０近傍（第１のアンカー部２）から中手骨体（第２中手骨１０２、第３中手骨１０３、第４中手骨１０４及び第５中手骨１０５の略中央）まで延在させることが好ましい。
【００３９】
なお、手関節の運動には、掌屈及び背屈の他に、橈屈及び尺屈があり、この橈屈及び尺屈は、日常生活で頻回に使用する動作であり、この動作に伴い、手から親指に向かって伸びている腱の炎症であるド・ケルヴァン症候群の発生頻度は高い。これに対し、支持部４及びベース生地部１は、着用者の手関節の橈屈及び尺屈を制限することにより、ド・ケルヴァン症候群の予防や改善が期待できる。
【００４０】
緩衝部５は、手関節サポーター１０における、第２のアンカー部３、ホールアンカー部１１、支持部４及びベース生地部１に包囲された編地であり、第２のアンカー部３及び支持部４間に柔軟性を持たせた編地である。
【００４１】
この緩衝部５は、手関節サポーター１０の長さ方向Ｌにおける伸縮抵抗が、手関節サポーター１０の長さ方向Ｌにおけるベース生地部１の伸縮抵抗より小さく編成されている。すなわち、手関節サポーター１０の長さ方向Ｌにおける緩衝部５の張力をＦL5とした場合に、緩衝部５がベース生地部１と比較して、手関節サポーター１０の長さ方向Ｌに弱い締付力を持つような、ＦL1＞ＦL5という大小関係を有する。
【００４２】
具体的には、緩衝部５を、通気性のよい編組織であるメッシュ編で編成された編地（以下、メッシュ編地と称す）にすることにより、タック編地のベース生地部１に対して、手関節サポーター１０の長さ方向Ｌにおける伸縮抵抗を小さくすることができる。
なお、メッシュ編地とは、生地を編成するときに、一時ある編み目を作らないで、次のコースを編むときに一緒に編み目を作り、メッシュ形態の編みでよく伸びる編地である。
【００４３】
このように、緩衝部５は、手関節サポーター１０の長さ方向Ｌにおける伸縮抵抗が、手関節サポーター１０の長さ方向Ｌにおけるベース生地部１の伸縮抵抗より小さいことにより、着用者の手の平及び甲を締付ず、着用者の手の指間を十分に開くことができるうえに、血流阻害を抑制して、着用者に不快感を生じさせない。
【００４４】
なお、本実施形態に係る手関節サポーター１０は、前述した各部位の編地により、手関節サポーター１０の長さ方向Ｌにおけるベース生地部１の伸縮抵抗が、手関節サポーター１０の長さ方向Ｌにおける第１のアンカー部２の伸縮抵抗より大きい。また、手関節サポーター１０の長さ方向Ｌにおける第１のアンカー部２の伸縮抵抗は、手関節サポーター１０の長さ方向Ｌにおける第２のアンカー部３の伸縮抵抗より大きい。また、手関節サポーター１０の長さ方向Ｌにおける第２のアンカー部３の伸縮抵抗は、手関節サポーター１０の長さ方向Ｌにおける緩衝部５の伸縮抵抗より大きい。さらに、手関節サポーター１０の周方向Ｈにおける支持部４の伸縮抵抗は、手関節サポーター１０の周方向Ｈにおけるベース生地部１の伸縮抵抗とほぼ等しい。
【００４５】
したがって、本実施形態に係る手関節サポーター１０は、手関節サポーター１０の長さ方向Ｌにおける張力Ｆにおいて、次式（１）に示す大小関係を満たすものである。ただし、次式（１）において、ＦL2は手関節サポーター１０の長さ方向Ｌにおける第１のアンカー部２の張力であり、ＦL3は手関節サポーター１０の長さ方向Ｌにおける第２のアンカー部３の張力である。
【００４６】
〔数１〕
ＦL4＞ＦL1＞ＦL2＞ＦL3＞ＦL5      ・・・（１）
【００４７】
また、本実施形態に係る手関節サポーター１０は、手関節サポーター１０の周方向Ｈにおける張力Ｆにおいて、次式（２）に示す大小関係を満たすものである。ただし、次式（２）において、ＦH4は手関節サポーター１０の周方向Ｈにおける支持部４の張力である。
【００４８】
〔数２〕
ＦH2＞ＦH1≒ＦH4＞ＦH3＞ＦH5      ・・・（２）
【００４９】
なお、本実施形態においては、鹿の子編、タック編及びメッシュ編に用いられる地編糸として、太さ７０デニールのナイロン糸であり、編み本数２本からなる表糸と、太さ３０デニールのナイロン糸であり、編み本数２本からなる裏糸と、太さ２６０デニールのポリウレタンの芯糸に太さ４０デニールのナイロンの巻き糸を２本巻きつけたカバーリング・ヤーン（ＤＣＹ：double covered yarn）であるゴム糸とを用いているが、この材質に限られるものではない。
【００５０】
例えば、表糸としては、綿、毛(カシミヤ、ラム、アンゴラなど)、絹若しくは麻などの天然繊維、アクリルなどの化学繊維、又は吸汗、速乾若しくは体温調整機能を持つ素材などを、手関節サポーター１０のコスト又は着用者のニーズに合わせて選択することが好ましい。また、裏糸としては、エステル若しくはＦＴＹ（filament twisted yarn）、又は抗菌、防臭若しくは消臭素材を、手関節サポーター１０のコスト又は着用者のニーズに合わせて選択することが好ましい。
また、タック編・添え糸編地（支持部４）におけるウーリーナイロン糸（柄糸）は、太さ１００デニールの編み本数２本からなる。
【００５１】
ここで、前述した編糸及び編地に従って製作した手関節サポーター１０の各部位（図４参照）に対して、ストレッチテスタ（引張荷重：４ｋｇ）により、伸長率（引き伸ばしたときの長さ（伸び寸法）と元の長さ（置き寸法）との差の、元の長さに対する百分率）を測定した結果を下表１に示す。
【００５２】
【表１】
0005543496.tif 000002
【００５３】
なお、表１における伸長率は、値が大きいほど編地が伸び易いことを示し、前述した式（１）及び式（２）における張力Ｆは、値が大きいほど編地が伸び難い（締付力が大きい）ことを示すために、伸長率の大小関係を示す不等号と張力Ｆの大小関係を示す不等号とは逆になる。
【００５４】
つぎに、本実施形態に係る手関節サポーター１０の作用効果を検証した結果を説明する。
第１の実験では、被験者（２６歳健常男性、四肢に既往歴なし）の右手首に、手関節サポーター１０を着用させた場合（以下、着用時と称す）と着用させない場合（以下、非着用時と称す）とにおいて、１ｋｇの重りを載せた３００ｇのフライパンを右手に持たせて、右腕の上腕及び前腕が略垂直の状態で３０秒間保持させた（図５（ａ））。
【００５５】
このとき、実験では、表面筋電図により、後半５秒間の上腕二頭筋（肘を曲げる筋肉）並びに尺側手根屈筋及び橈側手根屈筋（手首を曲げる筋肉）の筋電位を測定した（図５）。なお、表面筋電図の測定には、Ｎｏｌａｘｏｎ社製の「マイオリサーチ」を用いた。
【００５６】
図５（ｂ）及び図５（ｃ）に示すように、着用時の場合は、非着用時の場合と比較して、尺側手根屈筋及び橈側手根屈筋の筋電位（平均振幅、筋積分値）が低下しているために、尺側手根屈筋及び橈側手根屈筋への負荷を減少し、手関節の負担を軽減していることがわかる。特に、手関節サポーター１０は、手関節の負担を軽減することで、手の腱鞘炎を防止することができることになる。
【００５７】
また、図５（ｄ）に示すように、着用時の場合は、非着用時の場合と比較して、上腕二頭筋の筋電位（平均振幅、筋積分値）が低下しているために、上腕二頭筋への負荷を減少し、手関節の負担を軽減していることがわかる。
【００５８】
第２の実験では、３人の被験者（健常成人男性、平均年齢２９±３．６歳、平均身長１６９．７±４．９ｃｍ、平均体重６４．３±１１．９ｋｇ）の右手首に、手関節サポーター１０を着用させた場合（着用時）と着用させない場合（非着用時）とにおいて、右腕の上腕が略垂直かつ右腕の前腕が略水平の状態で手関節を掌屈及び背屈させた。実験では、各被験者の手関節掌屈モーメントの仕事量を測定し（図６）、各被験者の手関節背屈モーメントの仕事量を測定した（図７）。
【００５９】
図６及び図７に示すように、全ての被験者において、手関節サポーター１０の着用時は、非着用時と比較して、手関節掌屈モーメントの仕事量及び手関節背屈モーメントの仕事量が大きくなったことがわかる。
【００６０】
（本発明の第２の実施形態）
図８（ａ）は第２の実施形態に係る手関節サポーターの概略構成を示す正面図であり、図８（ｂ）は図８（ａ）に示す手関節サポーターの背面図であり、図８（ｃ）は図８（ａ）に示す手関節サポーターの左側面図であり、図８（ｄ）は図８（ａ）に示す手関節サポーターの右側面図であり、図８（ｅ）は図８（ａ）に示す手関節サポーターの平面図及び底面図である。図９（ａ）は第２の実施形態に係る他の手関節サポーターの概略構成を示す正面図であり、図９（ｂ）は図９（ａ）に示す手関節サポーターの背面図であり、図９（ｃ）は図９（ａ）に示す手関節サポーターの左側面図であり、図９（ｄ）は図９（ａ）に示す手関節サポーターの右側面図であり、図９（ｅ）は図９（ａ）に示す手関節サポーターの平面図及び底面図である。図１０（ａ）は図８に示す手関節サポーターの着用状態を示す斜視図であり、図１０（ｂ）は図９に示す手関節サポーターの着用状態を示す斜視図である。図８乃至図１０において図１及び図２と同じ符号は、同一または相当部分を示し、その説明を省略する。
【００６１】
前記各図において本実施形態に係る手関節サポーター１０は、前記第１の実施形態の構成に加え、筒状編地の第２のアンカー部３から連続して丸編で編み立てられる第２の筒状編地からなり、着用者の第２指及び第３指間の指股、第３指及び第４指間の指股、並びに／又は、第４指及び第５指間の指股における着用者の手の平及び甲間を連結して、着用者の指股に掛止するアンカー補強部１２を備える構成である。なお、アンカー補強部１２は、第２の筒状編地として、例えば、よく伸びるメッシュ編地にすることにより、着用者の第２指及び第３指間の指股、第３指及び第４指間の指股、並びに／又は、第４指及び第５指間の指股に強い押圧力を与えることなく、着用者に不快感を生じさせない。
【００６２】
本実施形態に係るアンカー補強部１２は、例えば、図８及び図１０（ａ）に示すように、着用者の第２指及び第３指間の指股、並びに、第４指及び第５指間の指股に掛止する２つの掛止部（第１の掛止部１２ａ、第２の掛止部１２ｂ）を有するものや、図９及び図１０（ｂ）に示すように、着用者の第２指及び第３指間の指股、第３指及び第４指間の指股、並びに、第４指及び第５指間の指股に掛止する３つの掛止部（第１の掛止部１２ａ、第３の掛止部１２ｃ、第２の掛止部１２ｂ）を有するものが考えられる。
【００６３】
特に、図９及び図１０（ｂ）に示す手関節サポーター１０は、図８及び図１０（ａ）に示す手関節サポーター１０と比較して、着用者の第２指、第３指、第４指及び第５指の近位指節間関節近傍まで各指を被覆し、アンカー補強部１２の掛止部による着用者の指股に掛かる数が多く、着用者の指との接触面積が広いため、着用者の手関節を安定的に支持することができる。
【００６４】
このように、本実施形態に係る手関節サポーター１０は、アンカー補強部１２の掛止部を１又は複数の指股に掛けることにより、着用者の手関節をより確実に支持して手関節の負担を軽減することで、手の腱鞘炎を防止することができることになる。
【００６５】
なお、この第２の実施形態においては、手関節サポーター１０の第２のアンカー部３に１又は複数の掛止部を有するアンカー補強部１２を新たに配設するところのみが第１の実施形態と異なるところであり、上述したアンカー補強部１２による作用効果以外は、第１の実施形態と同様の作用効果を奏する。
【符号の説明】
【００６６】
１      ベース生地部
２      第１のアンカー部
３      第２のアンカー部
４      支持部
５      緩衝部
１０    手関節サポーター
１０ａ  上端
１０ｂ  下端
１１    ホールアンカー部
１２    アンカー補強部
１０２  第２中手骨
１０３  第３中手骨
１０４  第４中手骨
１０５  第５中手骨
１１０  中手指節関節
１２０  手根中手関節
１３０  橈骨手根関節
【図１】
0005543496.tif 000003
【図２】
0005543496.tif 000004
【図３】
0005543496.tif 000005
【図４】
0005543496.tif 000006
【図５】
0005543496.tif 000007
【図６】
0005543496.tif 000008
【図７】
0005543496.tif 000009
【図８】
0005543496.tif 000010
【図９】
0005543496.tif 000011
【図１０】
0005543496.tif 000012